(57)【要約】【課題】放出管先端側から装着させることなくその途中部分を位置決め固定可能な除電装置等を提供する。【解決手段】放出管取付具３０を、１対の突出片部分３１，３１の並び方向が放出管２０の軸方向に対して略直交する直交状態として、１対の突出片部分３１，３１の間に放出管２０が介在するように配置する。この直交状態から１対の突出片部分３１，３１の並び方向と放出管の軸方向が一致した一致状態になるまで放出管取付具３０を回動させて、最後に、矩形板部分３２に形成された取付孔３２ａ，３２ａに図示しない取付ねじをそれぞれ通して所定の設置箇所に螺着させる。【選択図】  図３
2004335153.tif 000002
【特許請求の範囲】
【請求項１】
除電装置本体で生成されたイオンを外部に放出させるための放出管を、所定の設置箇所に固定するための放出管取付具であって、
前記設置箇所に固定される固定部と、前記固定部に前記放出管の直径以上の間隔を隔てて並設された１対の保持部とを備えてなり、
前記１対の保持部は、それらの並び方向と前記放出管の軸方向が一致した一致状態において、当該放出管の外周面に両側から当接し、前記１対の保持部のうち少なくとも一方の前記保持部の当接側は、前記放出管の外周面の一部を収容する凹形状をなし、
一方の前記保持部のうち前記放出管との当接部分の最先端と、他方の前記保持部のうち前記放出管との当接部分の最先端とについて、前記放出管の周方向における最短距離が当該放出管の全周長の半分より小さく、
かつ、一方の前記保持部のうち前記放出管との当接部分の最基端と、他方の前記保持部のうち前記放出管との当接部分の最基端とについて、前記放出管の周方向における最短距離が当該放出管の全周長の半分より小さくなるよう構成されていることを特徴とする除電装置の放出管取付具。
【請求項２】
前記固定部及び前記１対の保持部は１枚の金属板からなり、前記凹形状は、前記１対の保持部を互いに逆方向にくの字に折り曲げ加工を施すことにより形成されていることを特徴とする請求項１記載の除電装置の放出管取付具。
【請求項３】
電圧電源により放電電極に電圧を印加して前記放電電極にコロナ放電を発生させることで正負の空気イオンを生成させ、その空気イオンを放出管を介して外部に放出する除電装置であって、前記請求項１または請求項２記載の放出管取付具を備えていることを特徴とする除電装置。
【請求項４】
除電装置本体で生成されたイオンを外部に放出させるための放出管を、所定の設置箇所に固定するための放出管取付方法であって、
前記請求項１または請求項２記載の除電装置の放出管取付具を用いて、
前記放出管取付具を、前記１対の保持部の並び方向が前記放出管の軸方向に対して略直交する直交状態として、前記１対の保持部の間で前記放出管を挟むように配置し、前記直交状態から少なくとも前記１対の保持部の並び方向と前記放出管の軸方向が一致した一致状態になるまで前記放出管取付具及び前記放出管を相対的に回動させた後に、前記固定部を前記所定の設定箇所に固定することを特徴とする放出管の取付方法。
【発明の詳細な説明】
【０００１】
【発明の属する技術分野】
本発明は、除電装置、その放出管取付具、及び、放出管の取付方法に関する。
【０００２】
【従来の技術】
除電装置は、例えば、イオン生成室内に設けられた放電電極に対して電圧を印加してコロナ放電を発生させることで正負の空気イオンを生成させる。そして、この空気イオンは、上記イオン生成室の一端側から供給される空気流によって他端側に形成されたイオン放出口に導かれ、そのイオン放出口に連なる放出管を介して外部に放出されるようになっている。
【０００３】
【特許文献１】
特開２００２−７５６８８公報
【０００４】
【発明が解決しようとする課題】
ところで、空気イオンを被除電領域に向けて放出させるよう放出管を位置決め固定する必要があり、図１０には、そのために用いられる放出管取付具１の一例が示されている。これは、断面凸字状のステンレス製部材であって、中央部に放出管３が挿通される挿通口２が前後方向に貫通形成されるとともに、中央部上面には、上記挿通口２まで至る図示しない固定ビスが螺着されるねじ穴４が形成されている。また、中央部より低い両端部には、図示しない取付ねじが通される１対の取付孔５，５が上下方向に貫通形成されていている。
取付方法は、まず、放出管３先端側においてその先端部分を放出管取付具１の挿通口２に挿通させて、放出管３の位置決め固定すべき部分まで放出管取付具１を移動させる。そして、放出管取付具１の１対の取付孔５，５に取付ねじを通して設置箇所に螺合させるとともに、中央部上面のねじ穴４に固定ビスを螺着させる。これにより放出管３が所定の設置箇所において位置決め固定される。
【０００５】
ところが、このような構成の放出管取付具１では、位置決めすべき部分が放出管３の途中部分であっても、常に放出管３の先端から放出管取付具１を装着せざるを得ず、放出管３の取付作業が面倒であった。
【０００６】
本発明は、上記事情に鑑みてなされたもので、その目的は、放出管先端側から装着させることなくその途中部分を位置決め固定可能な除電装置、その放出管取付具、及び、放出管の取付方法を提供するところにある。
【０００７】
【課題を解決するための手段】
上記目的を達成するため、請求項１の発明に係る除電装置の放出管取付具は、除電装置本体で生成されたイオンを外部に放出させるための放出管を、所定の設置箇所に固定するための放出管取付具であって、前記設置箇所に固定される固定部と、前記固定部に前記放出管の直径以上の間隔を隔てて並設された１対の保持部とを備えてなり、前記１対の保持部は、それらの並び方向と前記放出管の軸方向が一致した一致状態において、当該放出管の外周面に両側から当接し、前記１対の保持部のうち少なくとも一方の前記保持部の当接側は、前記放出管の外周面の一部を収容する凹形状をなし、一方の前記保持部のうち前記放出管との当接部分の最先端と、他方の前記保持部のうち前記放出管との当接部分の最先端とについて、前記放出管の周方向における最短距離が当該放出管の全周長の半分より小さく、かつ、一方の前記保持部のうち前記放出管との当接部分の最基端と、他方の前記保持部のうち前記放出管との当接部分の最基端とについて、前記放出管の周方向における最短距離が当該放出管の全周長の半分より小さくなるよう構成されているところに特徴を有する。
【０００８】
請求項２の発明は、請求項１に記載の除電装置の放出管取付具において、前記固定部及び前記１対の保持部は１枚の金属板からなり、前記凹形状は、前記１対の保持部を互いに逆方向にくの字に折り曲げ加工を施すことにより形成されているところに特徴を有する。
【０００９】
請求項３の発明に係る除電装置は、電圧電源により放電電極に電圧を印加して前記放電電極にコロナ放電を発生させることで正負の空気イオンを生成させ、その空気イオンを放出管を介して外部に放出する除電装置であって、前記請求項１または請求項２記載の放出管取付具を備えているところに特徴を有する。
【００１０】
請求項４の発明に係る放出管取付方法は、除電装置本体で生成されたイオンを外部に放出させるための放出管を、所定の設置箇所に固定するための放出管取付方法であって、前記請求項１または請求項２記載の除電装置の放出管取付具を用いて、前記放出管取付具を、前記１対の保持部の並び方向が前記放出管の軸方向に対して略直交する直交状態として、前記１対の保持部の間で前記放出管を挟むように配置し、前記直交状態から少なくとも前記１対の保持部の並び方向と前記放出管の軸方向が一致した一致状態になるまで前記放出管取付具及び前記放出管を相対的に回動させた後に、前記固定部を前記所定の設定箇所に固定するところに特徴を有する。
【００１１】
【発明の作用及び効果】
本発明によれば、放出管取付具は、設置箇所に固定される固定部に放出管の直径以上の間隔を隔てて並設された１対の保持部を備えてなり、それら１対の保持部は、それらの並び方向と放出管の軸方向が一致した一致状態において、当該放出管の外周面に両側から当接し、１対の保持部のうち少なくとも一方の当接部分が、放出管の外周面の一部を収容する凹形状となっている。また、一方の保持部のうち放出管との当接部分の最先端と、他方の保持部のうち放出管との当接部分の最先端とについて、放出管の周方向における最短距離が当該放出管の全周長の半分より小さく、かつ、一方の保持部のうち放出管との当接部分の最基端と、他方の保持部のうち放出管との当接部分の最基端とについて、放出管の周方向における最短距離が当該放出管の全周長の半分より小さくなるよう構成されている。
つまり、１対の保持部の当接により、放出管は一致状態を維持したままでは両保持部から抜くことができないように抜き止めされるのである。
【００１２】
この放出管取付具の使用方法は、まず、上記放出管取付具を、１対の保持部の並び方向が放出管の軸方向に対して略直交する直交状態として、１対の保持部の間で放出管を挟むように配置する。次いで、この直交状態から少なくとも１対の保持部の並び方向と放出管の軸方向が一致した一致状態になるまで放出管取付具及び放出管を相対的に回動させる。そして、最後に、固定部を所定の設定箇所に固定する。これにより、放出管は、１対の保持部の当接により保持されて、上記一致状態を維持した状態で側方に抜くことはできず、所定の設置箇所に位置決め固定することができる。
【００１３】
このように、本構成であれば、放出管途中の位置において側方から放出管取付具を取り付けることができる。従って、放出管を挿通させる挿通口が形成され、その挿通口に放出管を通す構成で必要であった、放出管先端側から装着を不要とすることができ、放出管の位置決め固定作業の簡素化を図ることができる。
また、請求項２に示すように、上記放出管取付具は、１枚の金属板から構成することが可能である。このような構成であれば、部品点数を最小限に抑えつつ、折り曲げ加工だけで放出管取付具を容易に製造することができる。
なお、上記一致状態から更に回動させて固定部を所定の設置箇所に固定するのであれば、次のような構成であってもよい。
「除電装置本体で生成されたイオンを外部に放出させるための放出管を、所定の設置箇所に固定するための放出管取付具であって、前記設置箇所に固定される固定部と、前記固定部に前記放出管の直径以上の間隔を隔てて並設された１対の保持部とを備えてなり、前記１対の保持部は、それらの並び方向と前記放出管の軸方向が一致した一致状態において、当該放出管の外周面に両側から当接し、前記１対の保持部のうち少なくとも一方の保持部の当接側は、前記放出管の外周面の一部を収容する凹形状をなす構成。」
或いは、
「除電装置本体で生成されたイオンを外部に放出させるための放出管を、所定の設置箇所に固定するための放出管取付具であって、前記設置箇所に固定される固定部と、前記固定部に前記放出管の直径以上の間隔を隔てて並設された１対の保持部とを備えてなり、前記１対の保持部は、それらの並び方向と前記放出管の軸方向が一致した一致状態において、当該放出管の外周面に両側から当接し、前記１対の保持部のうち少なくとも一方の保持部の当接側は、前記放出管の外周面の一部を収容する凹形状をなし、かつ、一方の保持部のうち前記放出管との当接部分の最先端と、他方の保持部のうち前記放出管との当接部分の最先端とについて、前記放出管の周方向における最短距離が当該放出管の全周長の半分より小さくなるような構成。」
【００１４】
【発明の実施の形態】
＜第１実施形態＞
本発明に係る除電装置の一実施形態を図１ないし図５を参照して説明する。
本実施形態の除電装置は交流高電圧電源により正負の高電圧がそれぞれ印加される放電電極１３を備えた、いわゆる交流電圧印加タイプのものである。そして、放電電極１３でのコロナ放電によりイオン生成室１１内に発生したイオン（正及び負のイオン）を、イオン生成室１１から放出管２０の基端側の開口部２１に吹きこみ、放出管２０の先端側の放出口２０ａから上記イオンを外部に放出するようになっている。また、除電装置には、図１にも示すように、放出管２０を所定の設置箇所において位置決め固定するための放出管取付具３０が備えられている。
【００１５】
１．除電装置の具体的構成
以下、本実施形態に係る除電装置の具体的構成について、除電装置本体１０及び放出管と、放出管取付具とに分けて説明する。
【００１６】
（１）除電装置本体及び放出管の構成と動作
図２は、除電装置本体１０及び放出管２０の具体的構成を示す断面図である。
イオン生成室１１は円柱状に形成されており、その両端部のうち一方は全面開放された開口部１２が形成され、他方は軸部分に放電電極１３がその針先１３ａを開口部１２に向けて取付けられているとともに、この放電電極１３の周囲に複数の空気流入孔１４が形成されている。また、イオン生成室１１内の開口部１２側には、環状の接地電極１５が取付けられて、放電電極１３との間で放電が行なわれるようになっている。
【００１７】
また、空気流入孔１４には、供給路１６を介して空気流を吹き出す空気流供給手段１７が連ねられている一方、開口部１２には導風管１８が連通して、さらに、導風管１８に放出管２０が取付られている。放出管２０は円筒形をなし、基端部分が導風管１８に嵌合されている。
【００１８】
除電装置本体１０及び放出管２０の構成は以上であり、続いてその動作について説明する。
除電装置を作動させると、イオン生成室１１内の放電電極１３に交流高電圧が印加されるとともに、空気流供給手段１７から空気流が吹き出される。放電電極１３ではコロナ放電により生成された正負のイオンが、空気流入孔１４からイオン生成室１１内に流入した空気流に乗って開口部１２に向かう。そして、導風管１８を介して放出管２０に空気流が吹き出され、放出管２０の先端開口部から被除電領域に向けて正負のイオンを含んだ空気流が放出される。
【００１９】
（２）放出管取付具の構成
本実施形態に係る放出管取付具は、図３に示すように、矩形板と、その一端から延設された１対の突出片とが一体的に形成されて、全体として凹字状をなす１枚の板金（金属板。例えばステンレス板）を折り曲げ加工して製造されたものである。１対の突出片部分３１，３１（本発明の「保持部」に相当）は、取り付け対象となる放出管２０の直径以上の間隔を隔てて並設されている。
【００２０】
具体的には、上記板金には、矩形板部分３２（本発明の「固定部」に相当）のうち１対の突出片部分３１，３１が設けられた一端と平行をなす他端側寄りの位置に、１対の取付孔３２ａ，３２ａが貫通形成されている。そして、これら１対の取付孔３２ａ，３２ａの形成部分を残して、矩形板部分３２を上記１対の突出片部分３１，３１の並び方向に沿った線を軸にＬ字状に折り曲げる。次いで、１対の突出片部分３１，３１を、その基端部分から互いに離間する方向に押し広げつつ、それらの先端側から互いに接近する方向に折り曲げて、全体として互いに逆方向にくの字に折り曲がった形状とする。これら各突出片部分３１，３１の内側３１ａ，３１ａが本発明の「凹形状」に相当する。
【００２１】
また、図３（Ｂ）に示すように、一方の突出片部分３１のうち放出管２０との当接部分の最先端Ｘと、他方の突出片部分３１のうち放出管２０との当接部分の最先端Ｘとについて、放出管２０の周方向における距離ｄは放出管２０の全周長の半分より小さくなっている。更に、一方の突出片部分３１のうち放出管２０との当接部分の最基端Ｙと、他方の突出片部分３１のうち放出管２０との当接部分の最基端Ｙとについて、放出管２０の周方向における距離ｄ’も放出管２０の全周長の半分より小さくなっている。つまり、１対の突出片部分３１，３１の当接により、放出管２０は、１対の突出片部分３１，３１の並び方向と放出管２０の軸方向とが一致した状態（以下、「一致状態」）を維持したままでは両突出片部分３１，３１から抜くことができないように抜き止め可能となる。これにより１枚の板金から放出管取付具を作成することができる。
なお、本実施形態では、一方の突出片部分３１のうち放出管２０との当接部分と、他方の突出片部分３１のうち放出管２０との当接部分とについて、１対の突出片部分３１，３１の並び方向に直交する方向における最大離間距離（同図で符号Ｄ）が、例えば放出管２０の直径よりやや狭くなっている。従って、１対の突出片部分３１，３１は、一致状態にある放出管２０に対して弾性的に接触することになる。
【００２２】
２．放出管取付具の取付方法
まず、図４（Ａ）に示すように、放出管取付具３０を、１対の突出片部分３１，３１の並び方向が放出管２０の軸方向に対して略直交する直交状態として、１対の突出片部分３１，３１の間に放出管２０が介在するように配置する。次いで、この直交状態から１対の突出片部分３１，３１の並び方向と放出管の軸方向が一致した一致状態になるまで放出管取付具３０（矩形板部分３２）を回動させる（同図で矢印方向）。このとき、本実施形態では、１対の突出片部分３１，３１の内側３１ａ，３１ａの屈曲部分の距離Ｄが、放出管２０の直径よりやや狭くなっている。従って、上記一致状態になったときには、各突出片部分３１，３１は放出管２０の外周面に弾性的に接触する。つまり、各突出片部分３１，３１が放出管２０の外周面によって押し広げられるよう弾性変形し、その復元力によって放出管２０が１対の突出片部分３１，３１の間に挟み込まれて固持されるようになる。そして、最後に、矩形板部分３２に形成された取付孔３２ａ，３２ａに図示しない取付ねじをそれぞれ通して所定の設置箇所に螺着させる。
【００２３】
以上の手順を行うことにより、放出管２０が、放出管取付具３０を介して所定の設置箇所に位置決め固定される。
【００２４】
３．本実施形態の効果
以上のように、本実施形態の構成であれば、放出管２０途中の位置において側方から放出管取付具３０を取り付けることができる。従って、放出管を挿通させる挿通口が形成され、その挿通口に放出管を通す構成で必要であった、放出管先端側から装着を不要とすることができ、放出管の位置決め固定作業の簡素化を図ることができる。
【００２５】
更に、本実施形態の放出管取付具３０は、１枚の板金から作成することが可能であり、部品点数を最小限に抑えつつ、折り曲げ加工だけで放出管取付具３０を容易に製造することができる。
【００２６】
４．本実施形態の変形例
上記実施形態では、各突出片部分３１，３１に対してくの字形に曲げ加工を施した構成をしたが、図５に示すように、例えば、コの字形の構成（同図（Ａ））や、Ｃ字形の構成（同図（Ｂ））であってもよい。
【００２７】
＜第２実施形態＞
図６ないし図８には、上記第１実施形態における放出管取付具３０に対する変形例が示されており、その他の点は上記第１実施形態と同様である。従って、第１実施形態と同一符号を付して重複する説明を省略し、異なるところのみを次に説明する。
図６ないし図８には、１対の突出片部分３１，３１が異なる形状となっている。具体的には、図６（Ａ）では、一方がくの字形に屈曲し、他方が平面状になっている。同図（Ｂ）では、一方がＣ字形に湾曲し、他方が平面状になっている。同図（Ｃ）では、一方が放出管２０の外周面に沿って３つに折り曲げられた形状となっており、他方が平面状になっている。
【００２８】
また、図７（Ａ）では、一方がコの字形に屈曲され、他方が平面状になっている。同図（Ｂ）では、一方がくの字形に屈曲され、他方がコの字形に屈曲されている。同図（Ｃ）では、一方がくの字形に屈曲され、他方がＣ字形に湾曲されている。
更に、図８（Ａ）では、一方が放出管２０の外周面に沿って３つに折り曲げられた形状となっており、他方がコの字形に屈曲されている。同図（Ｂ）では、一方が放出管２０の外周面に沿って３つに折り曲げられた形状となっており、他方がＣ字形に湾曲されている。同図（Ｃ）では、一方がコの字形に屈曲され、他方がＣ字形に湾曲されている。
【００２９】
＜第３実施形態＞
図９には、上記第１実施形態における放出管取付具３０に対する変形例が示されており、その他の点は上記第１実施形態と同様である。従って、第１実施形態と同一符号を付して重複する説明を省略し、異なるところのみを次に説明する。
本実施形態に係る放出管取付具４０は、一方の突出片部分４１がコの字形に屈曲され、かつ、その先端部分４１ａが放出管２０の外周面に当接されている。一方、他方の突出片部分４２は、全体としてコの字形に屈曲されている。そして、他方の突出片部分４２は、基端側が一方の突出片部分４１の約倍の幅を有し、それより先端側には、長片部分４３と短片部分４４とが幅方向に沿って一体的に並設されている。このうち長片部分４３は、コの字形に屈曲されるとともに最先端部分４３ａが下方に折り曲げられ放出管２０の上面に当接する。一方、短片部分４４は、その先端部分４４ａが斜め下側から放出管２０の外周面に当接するよう構成されている。このように、放出管２０を１対の突出片部分３１，３１における３点（４１ａ，４３ａ，４４ａ）で保持する構成であってもよい。また、このような構成の放出管取付具４０も１枚の板金から作成することが可能である。
【００３０】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、放出管２０は、直線状に延びた形状としたが、曲がった形状であってもよい。また、空気イオンを先端から放出するものでなくても、放出管の外周面に形成された通気孔を介して放出する構成であってもよい。
【００３１】
（２）上記実施形態では、矩形板部分３２をＬ字状に折り曲げ加工した構成としたが、これに限らず、所定の設置箇所に応じた形状であってもよい。例えば、折り曲げ加工を施さず、平面状の形状であってもよい。
【図面の簡単な説明】
【図１】本発明の第１実施形態に係る除電装置の斜視図
【図２】除電装置本体及び放出管の断面図
【図３】放出管取付具の構成を示す斜視図及び側面図
【図４】放出管取付具の取付方法を説明するための斜視図
【図５】放出管取付具の変形例を示す斜視図
【図６】第２実施形態の放出管取付具の側面図（１）
【図７】放出管取付具の側面図（２）
【図８】放出管取付具の側面図（３）
【図９】第３実施形態の放出管取付具の側面図及び斜視図
【図１０】出願人が従来使用していた放出管取付具の斜視図
【符号の説明】
１０…除電装置本体
２０…放出管
３０，４０…放出管取付具
３１…突出片部分（保持部）
３１ａ，３１ａ…内側（凹形状）
３２…矩形板部分（固定部）
３２ａ，３２ａ…取付孔
【図１】
2004335153.tif 000003
【図２】
2004335153.tif 000004
【図３】
2004335153.tif 000005
【図４】
2004335153.tif 000006
【図５】
2004335153.tif 000007
【図６】
2004335153.tif 000008
【図７】
2004335153.tif 000009
【図８】
2004335153.tif 000010
【図９】
2004335153.tif 000011
【図１０】
2004335153.tif 000012